【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
アクティブノイズ制御システムであって、
プロセッサと通信するメモリ
を含み、
該プロセッサは、複数のスピーカから第１のスピーカ群を選択するように構成されており、該第１のスピーカ群は、対応するアンチノイズ信号を受信するように選択され、該対応するアンチノイズ信号は、少なくとも１つのクワイエットゾーンに存在する望ましくない音と弱め合う干渉をする音波を生成するように該第１のスピーカ群を駆動するように構成され、
該プロセッサは、第１のエラー信号を受信するようにさらに構成され、該第１のエラー信号は、該第１のスピーカ群によって生成される音波と該少なくとも１つのクワイエットゾーンにおいて検出される該望ましくない音との組み合わせを表し、
該プロセッサは、該第１のスピーカ群とは異なる第２のスピーカ群が、いつ該第１のエラー信号よりも低い第２のエラー信号を生成するように構成されるかを決定するようにさらに構成され、該第２のエラー信号は、該第２のスピーカ群によって生成される音波と該少なくとも１つのクワイエットゾーンにおいて検出される該望ましくない音との組み合わせを表し、
該プロセッサは、該第１のスピーカ群を該第２のスピーカ群と置き換えるようにさらに構成されている、アクティブノイズ制御システム。
【請求項２】
前記プロセッサは、前記第１のスピーカ群に含まれない少なくとも１つのスピーカを対応するアンチノイズ信号を受信するために選択するようにさらに構成されており、
該対応するアンチノイズ信号は、前記少なくとも１つのクワイエットゾーンに存在する前記望ましくない音と弱め合う干渉をする音波を生成するように所定の長さの時間の間に該少なくとも１つのスピーカを駆動するように構成されている、請求項１に記載のアクティブノイズ制御システム。
【請求項３】
前記プロセッサは、第３のエラー信号を受信するように構成されており、
該第３のエラー信号は、前記少なくとも１つのスピーカと、前記第１のスピーカ群とによって生成された音波と、前記少なくとも１つのクワイエットゾーンにおいて検出される前記望ましくない音との組み合わせを表す、請求項２に記載のアクティブノイズ制御システム。
【請求項４】
前記プロセッサは、前記第３のエラー信号が前記第１のエラー信号よりも低いときに、前記少なくとも１つのスピーカを選択し、前記第１のスピーカ群における第１のスピーカを置き換え、前記第２のスピーカ群を形成するように構成されている、請求項３に記載のアクティブノイズ制御システム。
【請求項５】
前記プロセッサは、前記望ましくない音を表す信号と前記第１のエラー信号とに基づいて、前記第２のスピーカ群による音波生成をシミュレートするようにさらに構成されており、
該プロセッサは、該シミュレートされた音波生成に基づいて、第１のシミュレートされたエラー信号を決定するようにさらに構成されている、請求項１〜４のいずれかに記載のアクティブノイズ制御システム。
【請求項６】
前記プロセッサは、前記第１のシミュレートされたエラー信号が前記第１のエラー信号よりも低いときに、前記第１のスピーカ群を前記第２のスピーカ群と置き換えるようにさらに構成されている、請求項５に記載のアクティブノイズ制御システム。
【請求項７】
前記第１のエラー信号は、複数のエラー信号であり、各エラー信号は、エラーセンサによって生成され、各エラーセンサは、それぞれのクワイエットゾーン内に配置されており、前記プロセッサは、前記複数のスピーカの各スピーカに対する相対的スピーカ位置と、複数のエラーセンサの各センサに対する相対的エラーセンサ位置とを相関付けるようにさらに構成されている、請求項１〜６のいずれかに記載のアクティブノイズ制御システム。
【請求項８】
前記プロセッサは、前記相対的スピーカ位置と前記相対的エラーセンサ位置とに基づいて、前記望ましくない音の方向を決定するようにさらに構成されている、請求項７に記載のアクティブノイズ制御システム。
【請求項９】
前記プロセッサは、前記望ましくない音の前記方向に基づいて、前記第２のスピーカ群を選択するようにさらに構成されている、請求項８に記載のアクティブノイズ制御システム。
【請求項１０】
前記プロセッサは、前記第２のスピーカ群に含まれるように少なくとも１つのスピーカを選択するように構成されており、前記望ましくない音の前記方向は、前記第１のスピーカ群に含まれる少なくとも１つのスピーカによって生成される音波よりも、該第２のスピーカ群に含まれる該少なくとも１つのスピーカによって生成される音波に対してより平面的である、請求項９に記載のアクティブノイズ制御システム。
【請求項１１】
アクティブノイズ制御システムを動作する方法であって、該方法は、
プロセッサを用いて、複数のスピーカから第１のスピーカ群を選択することであって、該第１のスピーカ群は、対応するアンチノイズ信号を受信するように選択され、該対応するアンチノイズ信号は、少なくとも１つのクワイエットゾーンに存在する望ましくない音と弱め合う干渉をする音波を生成するように該第１のスピーカ群を駆動するように構成されている、ことと、
該プロセッサを用いて、第１のエラー信号を受信することであって、該第１のエラー信号は、該第１のスピーカ群によって生成される音波と該少なくとも１つのクワイエットゾーンにおいて検出される該望ましくない音との組み合わせを表す、ことと、
該プロセッサを用いて、該第１のスピーカ群とは異なる第２のスピーカ群が、いつ該第１のエラー信号よりも低い第２のエラー信号を生成するように構成されるかを決定することであって、該第２のエラー信号は、該第２のスピーカ群によって生成される音波と該少なくとも１つのクワイエットゾーンにおいて検出される該望ましくない音との組み合わせを表す、ことと、
該プロセッサが、該第１のスピーカ群を該第２のスピーカ群と置き換えることと
を含む、方法。
【請求項１２】
前記プロセッサは、前記望ましくない音を表す信号と前記第１のエラー信号とに基づいて、前記第２のスピーカ群による音波生成をシミュレートするようにさらに構成され、
該プロセッサは、該シミュレートされた音波生成に基づいて、第１のシミュレートされたエラー信号を決定するようにさらに構成されている、請求項１１に記載の方法。
【請求項１３】
前記プロセッサを用いて、第３のスピーカ群からの音波の生成をシミュレートすることであって、該第３のスピーカ群は、前記第１のスピーカ群から少なくとも１つのスピーカを除いた該第１のスピーカ群である、ことと、
該第３のスピーカ群からの該シミュレートされた音波の生成に基づいて、該プロセッサを用いて、第２のシミュレートされたエラー信号を決定することと、
該プロセッサを用いて、該第１のシミュレートされたエラー信号を該第２のシミュレートされたエラー信号と比較することと、
該第１のシミュレートされたエラー信号と該第２のシミュレートされたエラー信号との比較に基づいて、該プロセッサを用いて、前記第２のスピーカ群または該第３のスピーカ群のうちの１つを選択し、該第１のスピーカ群を置き換えることと
をさらに含む、請求項１２に記載の方法。
【請求項１４】
前記第２のスピーカ群が選択されたときに、前記プロセッサが、前記第１のシミュレートされたエラー信号に基づいて、前記第１のスピーカ群を該第２のスピーカ群と置き換えることと、
前記第３のスピーカ群が選択されたときに、該プロセッサが、前記第２のシミュレートされたエラー信号に基づいて、該第１のスピーカ群を該第３のスピーカ群と置き換えることと
をさらに含む、請求項１３に記載の方法。
【請求項１５】
前記プロセッサを用いて、第３のスピーカ群からの音波の生成をシミュレートすることであって、該第３のスピーカ群は、前記第１のスピーカ群と前記第２のスピーカ群とは異なり、該第３のスピーカ群からの該シミュレートされた音波の生成は、該第１のエラー信号と前記望ましくない音を表す前記信号とに基づいている、ことと、
該第３のスピーカ群からの該シミュレートされた音波の生成に基づいて、該プロセッサを用いて、第２のシミュレートされたエラー信号を決定することと、
該プロセッサが、該第１のシミュレートされたエラー信号を該第２のシミュレートされたエラー信号と比較することと、
該第１のシミュレートされたエラー信号と該第２のシミュレートされたエラー信号との比較に基づいて、該プロセッサを用いて、該第２のスピーカ群または該第３のスピーカ群のうちの１つを選択し、該第１のスピーカ群を置き換えることと
をさらに含む、請求項１２に記載の方法。
【請求項１６】
前記第２のスピーカ群が選択されたときに、前記第１のシミュレートされたエラー信号に基づいて、前記第１のスピーカ群を該第２のスピーカ群と置き換えることと、
前記第３のスピーカ群が選択されたときに、前記第２のシミュレートされたエラー信号に基づいて、該第１のスピーカ群を該第３のスピーカ群と置き換えることと
をさらに含む、請求項１５に記載の方法。
【請求項１７】
前記第２のスピーカ群によって音波生成をシミュレートすることは、
前記複数のスピーカからの該第２のスピーカ群による音波生成をシミュレートすることを含み、
該第２のスピーカ群は、前記第１のスピーカ群に含まれる少なくとも１つのスピーカを含む、請求項１５に記載の方法。
【請求項１８】
プログラムが記録されたコンピュータ読み取り可能格納媒体であって、該プログラムは、アクティブノイズ制御システムを動作するためのものであり、該プログラムは、
複数のスピーカから第１のスピーカ群を選択することであって、該第１のスピーカ群は、対応するアンチノイズ信号を受信するように選択され、該対応するアンチノイズ信号は、少なくとも１つのクワイエットゾーンに存在する望ましくない音と弱め合う干渉をする音波を生成するように該第１のスピーカ群を駆動するように構成されている、ことと、
第１のエラー信号を受信することであって、該第１のエラー信号は、該第１のスピーカ群によって生成される音波と該少なくとも１つのクワイエットゾーンにおいて検出される該望ましくない音との組み合わせを表す、ことと、
該第１のスピーカ群とは異なる第２のスピーカ群が、いつ該第１のエラー信号よりも低い第２のエラー信号を生成するように構成されるかを決定することであって、該第２のエラー信号は、該第２のスピーカ群によって生成される音波と該少なくとも１つのクワイエットゾーンにおいて検出される該望ましくない音との組み合わせを表す、ことと、
該第１のスピーカ群を該第２のスピーカ群と置き換えることと
をコンピュータに行わせる、コンピュータ読み取り可能格納媒体。
【請求項１９】
前記プログラムは、前記コンピュータに、前記第１のスピーカ群に含まれない前記スピーカの各々を、対応するアンチノイズ信号を受信するように選択させ、
該対応するアンチノイズ信号は、前記少なくとも１つのクワイエットゾーンに存在する前記望ましくない音と弱め合う干渉をする音波を生成するように所定の長さの時間の間にそれぞれのスピーカの各々を駆動するように構成されている、請求項１８に記載のコンピュータ読み取り可能格納媒体。
【請求項２０】
前記プログラムは、前記コンピュータに、前記第１のスピーカ群に含まれない前記スピーカの各々に対するそれぞれの一時的エラー信号を受信させ、
各それぞれの一時的エラー信号は、該第１のスピーカ群に含まれないそれぞれのスピーカの各々と、該第１のスピーカ群とによって生成される音波と、前記少なくとも１つのクワイエットゾーンにおいて検出される前記望ましくない音との組み合わせを表す、請求項１９に記載のコンピュータ読み取り可能格納媒体。
【請求項２１】
前記プログラムは、前記コンピュータに、前記第２のスピーカ群に含まれるように置き換えスピーカを選択させ、
該置き換えスピーカは、その他の一時的エラー信号に対して最も低い一時的エラー信号を有する、前記第１のスピーカ群に含まれない前記スピーカのそれぞれの各スピーカである、請求項２０に記載のコンピュータ読み取り可能格納媒体。
【請求項２２】
前記プログラムは、前記コンピュータに、前記第１のスピーカ群に含まれるスピーカを前記置き換えスピーカと置き換えさせる、請求項２１に記載のコンピュータ読み取り可能格納媒体。